(57)【要約】【課題】束を損傷することなく簡単に大引き等の高さ調節を行うことができ、しかも、外部からの意匠的にも見栄えを良くする。【解決手段】大引きＰ等を支持する支持部１と、上記支持部１と回転可能に上端が連結されると共に、下端にはネジ山２１が形成され、中間部には、工具又は手指等で回転操作するための回転操作部２２を設けた軸部材２と、上記軸部材２を嵌挿する挿入口３１を上面に形成し、この挿入口３１に上記軸部材２のネジ山２１に螺合するナット３２を埋設した木製の脚体３と、より成る。【選択図】図１
2006045811.tif 000002
【特許請求の範囲】
【請求項１】
大引き等を支持する支持部と、
上記支持部と回転可能に上端が連結されると共に、下端にはネジ山が形成され、中間部には、工具又は手指等で回転操作するための回転操作部を設けた軸部材と、
上記軸部材を嵌挿する挿入口を上面に形成し、この挿入口に上記軸部材のネジ山に螺合するナットを埋設した木製の脚体と、より成る木製束体。
【請求項２】
請求項１において、
回転操作部は、軸部材の外周面に、１組以上の平行な平面部を設けて形成したことを特徴とする木製束体。
【請求項３】
請求項１又は２の何れかにおいて、
回転操作部は、軸部材の外周面に、外方に向けて突出した手指操作杆で形成されたことを特徴とする木製束体。
【請求項４】
請求項１又は２の何れかにおいて、
回転操作部は、軸部材を直径方向に貫通する工具貫通孔を形成したことを特徴とする木製束体。
【請求項５】
請求項１〜４の何れかにおいて、
回転操作部は、軸部材の上下方向に複数形成されたことを特徴とする木製束体。
【発明の詳細な説明】
【技術分野】
【０００１】
本発明は、ウッドデッキ等の木製の建造物に使用される大引等を支持し、この大引き等の高さ調節を容易に行うことのできる木製束体に関する。
【背景技術】
【０００２】
従来、建造物の床下等には、大引き等を支持するための様々な束体が使用されていた。
【０００３】
この束体は、大引き等を支持する支持部の下端に、ネジ山が形成された軸部を一体形成した支持体部と、上記軸部のネジ山に螺合するネジ溝を備えた雌ネジ部が、束脚体上面に固定される固定部に一体形成された束固定部と、より成る（例えば、特許文献１参照。）。
【０００４】
そして、大引き等の高さ調節を行うには、束石等の上に設置された上記束脚体を左、右何れかの方向に回転すれば、この束脚体の回転に伴って、上記束固定部も同方向に回転され、この束固定部に設けられた雌ネジ部が、上記軸部との螺合作用によって当該軸部に設けた上記支持体部を上下移動することで、上記大引き等の高さ調節を行っていた。
【０００５】
また、近年の住宅開発に伴い、一般家庭などでは、ウッドデッキ等の木製の建造物を建設することも多いが、このような建造物では、上記束体が外部から見え易く、意匠的な面も重要視されるため、束脚体を木製で作ることが多く、そのため、上記の一般的な束体とは異なり、木製束脚体に応じた木製束体が要望されている。
【特許文献１】特開平９−１３６２８号
【発明の開示】
【発明が解決しようとする課題】
【０００６】
しかしながら、従来の束体では、上記束脚体を左、右何れかの方向に回転させて、大引き等の高さ調節を行っていた。
【０００７】
そのため、束脚体の回転に伴い、束脚体の下面と、束石等の上面が摺れることで、その摺動面が損傷するという問題があった。特に、木製の束脚体では、これを設置する束石等に比べて硬度が弱いため、木製の束脚体の場合には、その損傷が激しいという問題がある。
【０００８】
また、束脚体を回転する作業は困難であり、特に、大引き等を支持した後に、その高さ調節を行うには、束脚体に大きな荷重がかかっているので、回転作業が非常に困難であるという問題もあった。
【０００９】
更に、大引き等には、複数の束体が設置されているが、この束体を回転させて、大引き等の高さ調節を完了したとき、全ての束体（束脚体）の方向が統一されないという問題があり、特に、ウッドデッキ等に使用される木製の束脚体の場合には、外部から見え易いため、意匠的にも見栄えが悪いという問題がある。
【００１０】
本発明は、かかる課題を解決することを目的とするもので、木製の束脚体を損傷することなく簡単に大引き等の高さ調節を行うことができ、しかも、外部からの意匠的にも見栄えが良い木製束体を提供する。
【課題を解決するための手段】
【００１１】
上記目的を達成するため、
請求項１に係る木製束体は、大引き等を支持する支持部と、上記支持部と回転可能に上端が連結されると共に、下端にはネジ山が形成され、中間部には、工具又は手指等で回転操作するための回転操作部を設けた軸部材と、上記軸部材を嵌挿する挿入口を上面に形成し、この挿入口に上記軸部材のネジ山に螺合するナットを埋設した木製の脚体と、より成る。
【００１２】
このものでは、束石等に木製の脚体を載せ、この脚体上面のナットに軸部材のネジ山を螺合して行けば、その螺合作用によって、軸部材が脚体の挿入口に嵌挿されながら、支持部と脚体とが一体化される。
【００１３】
そして、スパナ等の工具或いは手指によって回転操作部を左右何れかの方向に回転し、支持部の高さを調節すれば、大引き等を所望の位置に支持できる。
【００１４】
そのため、木製の脚体を回転して高さ調節を行う不便さがなく、脚体を損傷することも防止できる。
【００１５】
また、大引き等の状態に合わせて支持部を回転できるので、大引き等に合わせた支持部の状態のまま、軸部材を回転操作するだけで、簡単に支持部の高さ調節ができる。
【００１６】
しかも、木製の脚体を回転しないので、高さ調節後も、脚体の設置状態に維持され、全ての脚体を統一して意匠的にも見栄えを良くできる。
【００１７】
請求項２に係る木製束体は、請求項１において、回転操作部は、軸部材の外周面に、１組以上の平行な平面部を設けて形成したことを特徴とする。
【００１８】
このものでは、１組以上の平行な平面部を形成しているので、スパナ、モンキーレンチ等の工具で簡単に軸部材を回転操作できる。
【００１９】
請求項３に係る木製束体は、請求項１又は２の何れかにおいて、回転操作部は、軸部材の外周面に、外方に向けて突出した手指操作杆で形成されたことを特徴とする。
【００２０】
このものでは、手指操作杆を突出しているので、工具が無くても手指によって簡単に軸部材を回転操作できる。
【００２１】
請求項４に係る木製束体は、請求項１又は２の何れかにおいて、回転操作部は、軸部材を直径方向に貫通する工具貫通孔を形成したことを特徴とする。
【００２２】
このものでは、軸部材の直径方向に貫通する工具貫通孔を形成しているので、ドライバー等の棒状の工具を使って簡単に軸部材を回転操作できる。
【００２３】
請求項５に係る木製束体は、請求項１〜４の何れかにおいて、回転操作部は、軸部材の上下方向に複数形成されたことを特徴とする。
【００２４】
このものでは、軸部材の上下に複数の回転操作部を形成しているので、回転操作し易い回転操作部を選択して簡単に軸部材を回転操作できる。
【発明の効果】
【００２５】
本発明によれば、次のような効果がある。
【００２６】
請求項１に係る木製束体によれば、木製の脚体を回転して高さ調節を行う不便さがなく、脚体を損傷することも防止できる。
【００２７】
また、大引き等の状態に合わせて支持部を回転できるので、大引き等に合わせた支持部の状態のまま、軸部材を回転操作するだけで、簡単に支持部の高さ調節ができる。
【００２８】
しかも、木製の脚体を回転しないので、高さ調節後も、脚体の設置状態に維持され、全ての脚体を統一して意匠的にも見栄えを良くできる。
【００２９】
請求項２に係る木製束体によれば、１組以上の平行な平面部を形成しているので、スパナ、モンキーレンチ等の工具で簡単に軸部材を回転操作できる。
【００３０】
請求項３に係る木製束体によれば、手指操作杆を突出しているので、工具が無くても手指によって簡単に軸部材を回転操作できる。
【００３１】
請求項４に係る木製束体によれば、軸部材の直径方向に貫通する工具貫通孔を形成しているので、ドライバー等の棒状の工具を使って簡単に軸部材を回転操作できる。
【００３２】
請求項５に係る木製束体によれば、軸部材の上下に複数の回転操作部を形成しているので、回転操作し易い回転操作部を選択して簡単に軸部材を回転操作できる。
【発明を実施するための最良の形態】
【００３３】
以下、本発明に係る木製束体Ａを図面に基づき説明する。
【実施例１】
【００３４】
図１は、本発明に係る木製束体Ａの一実施例を示す分解斜視図であり、図２は、図１を中央で縦断した状態の縦断面図である。
【００３５】
この木製束体Ａは、大引きＰ等を支持する支持部１と、この支持部１と回転可能に上端が連結されると共に、下端にはネジ山２１が形成され、中間部には、工具又は手指等で回転操作するための回転操作部２２を設けた軸部材２と、この軸部材２を嵌挿する挿入口３１を上面に形成し、この挿入口３１に軸部材２のネジ山２１に螺合するナット３２を埋設した木製の脚体３と、位置決め後、軸部材２を回転止めする固定用ナット４１と、より成る。
【００３６】
支持部１は、金属板をＬ状に折り曲げて形成され、大引きＰ等を載せる支持平面部１１と、大引きＰ等の一側面に添接される起立片部１２から成る。
また、支持平面部１１と起立片部１２との折り曲げ部分には、外側に向けて膨出させたリブ１３を形成し、強度を高めている。なお、支持部１の形状は、大引きＰ等の形状に応じて採択され、例えば、断面コ字状、平板状等、その形状は本実施例のものに限定されない。  
支持平面部１１の中心には、軸部材２の上端が回転自在に連結されており、具体的には、支持平面部１１の中心に軸孔１４を開設し、この軸孔１４と、軸部材２の上端とを回転可能にカシメ止めして連結すれば、軸部材２を支持平面部１１に対して回転自在にできる。
【００３７】
軸部材２は、金属製の棒状で形成され、下端から中間に向けてネジ山２１を形成している。また、ネジ山２１の上端から間隔をあけた中間部には、工具又は手指等で回転操作するための回転操作部２２を形成している。
【００３８】
この回転操作部２２は、軸部材２の外周面に、１組以上の平行な平面部を設けて形成され、図１、図２では、１組の平行な平面部が直交された四角柱形の回転操作部２２を例示している。
【００３９】
木製の脚体３は、大引きＰ等と同じ木製素材を使用して一体感を醸し出しており、この脚体３の上面中央には、軸部材２を嵌挿する挿入口３１を内部に向けて開設している。
また、挿入口３１の上端は座繰りされ、この座繰りした孔に軸部材２のネジ山２１に螺合するナット３２を埋設している。なお、上記座繰りした孔は、ナット３２の回転を規制するように、ナット３２の外形に合わせて６角形に開設しているが、上記孔にナット３２を固着する接着剤を流し込んだうえで固定しても良い。
【００４０】
また、木製の脚体３は、地面上の基礎である束石Ｑに載置されるが、この束石Ｑと脚体３とを一体的に形成することも可能である。
【００４１】
上述のように構成した本発明の木製束体Ａは、例えば、以下の要領で施工する。
【００４２】
先ず、木製の脚体３のナット３２に向けて軸部材２のネジ山２１を螺合して、支持部１と木製の脚体３とを連結して本発明の木製束体Ａを形成したうえで、脚体３と支持部１との距離が、地面上の適所に固定されている束石Ｑと、大引きＰ等を支持する距離よりも短くなるように予め調節しておき、束石Ｑ上に木製の脚体３を載置する〔図１、図２参照。〕。
【００４３】
次に、支持部１上に大引きＰ等を載置するか、或いは、既に支持部１上に支持されている大引きＰ等を載置したうえで、軸部材２の回転操作部２２を、スパナ、モンキーレンチ等の工具或いは手指によって、左、右何れかの方向に回転すれば、ネジ山２１とナット３２との螺合作用によって、支持部１が上、下何れかの方向に移動され、載置した大引きＰ等の高さを所望の位置に調節する。この位置調節後、固定用ナット４１を、ナット３２に締め込んで、軸部材２の回転を固定する〔図２、参照。〕。
【００４４】
そして、上記の要領で、他の複数の木製束体Ａ…も施工して行けば、大引きＰ等は、複数の木製束体Ａ…によって確実に支持される。
【００４５】
このように本発明の木製束体Ａによれば、軸部材２の回転操作部２２を回転操作するだけで、支持部１の高さ調節を行うことができるので、木製の脚体３を損傷することなく、簡単に大引きＰ等の高さ調節ができる。
【００４６】
また、支持部１は軸部材２と回転可能に連結されているので、大引きＰ等に合わせて支持部１の方向を自由に回転させて支持できるうえ、簡単に支持部１の高さを調節できる。
【００４７】
しかも、木製の脚体３は回転されないので、高さ調節後も、脚体３は、当所の設置状態のままに維持され、全ての木製の脚体３を同方向に向けたまま統一させることで、意匠的にも見栄えを良くできる。
【実施例２】
【００４８】
図３（ａ）〜（ｄ）は、軸部材２に設けた回転操作部２２の他の実施例を示す概略図である。
【００４９】
なお、図１、図２と共通する部位には、共通の番号を付し、その説明は省略する。
【００５０】
図３（ａ）の左図は、回転操作部２２が軸部材２の外周面に１組の平行な平面部だけが形成されたものを示しており、同右図は、回転操作部２２が軸部材２の外周面に、１組の平行な平面部が合計３組設けられた六角形の回転操作部２２を示したものである。
このような回転操作部２２を形成すれば、左図のものでは、軸部材２の特定の周方向からしか回転操作できず、操作方向を特定できる。
また、右図のものでは、上記とは逆に、軸部材２の様々な周方向から回転操作することができる。
【００５１】
図３（ｂ）は、回転操作部２２として、軸部材２の外周面に、外方に向けて突出した手指操作杆２２ａが形成されたものを示している。
このような回転操作部２２を形成すれば、手指操作杆２２ａが突出されているので、工具が無くても手指によって簡単に軸部材２を回転操作できる。
また、回転操作部２２が床下などの操作し難い位置にあるときでも、手指操作杆２２ａが突出されているので、これを掴んで操作し易く、簡単に軸部材２を回転操作できる。
【００５２】
図３（ｃ）は、回転操作部２２として、軸部材２を直径方向に貫通する工具貫通孔２２ｂが形成されたものを示している。
このような回転操作部２２を形成すれば、軸部材２の直径方向に貫通する工具貫通孔２２ｂが形成されているので、ドライバー等の棒状の工具を差し込み、当該工具を取手として利用して、簡単に軸部材２を回転操作できる。
【００５３】
図３（ｄ）は、軸部材２の上下方向に図１、図２で示された回転操作部２２を複数形成したものを示している。
このような回転操作部２２を形成すれば、軸部材２の上下に複数の回転操作部２２を形成しているので、その内から回転操作し易い回転操作部２２を選択して簡単に軸部材２を回転操作できる。
【産業上の利用可能性】
【００５４】
本発明は、束を損傷することなく簡単に大引き等の高さ調節を行うことができ、しかも、外部からの意匠的にも見栄えが良い木製束体として有効に利用することが可能である。
【図面の簡単な説明】
【００５５】
【図１】本発明に係る木製束体Ａの一実施例を示す分解斜視図である。
【図２】図１を中央で縦断した状態の縦断面図である。
【図３】回転操作部の他の実施例を示す概略図である。
【符号の説明】
【００５６】
Ａ      木製束体
Ｐ      大引き
１      支持部
２      軸部材
２１    ネジ山
２２    回転操作部
２２ａ  手指操作杆
２２ｂ  工具貫通孔
３      脚体
３１    挿入口
３２    ナット
【図１】
2006045811.tif 000003
【図２】
2006045811.tif 000004
【図３】
2006045811.tif 000005